(57)【要約】【課題】タッチパネルを有する電子機器によって認識可能なコード情報等の確実性を高めるシステム及び方法を提供することを課題とするものである。【解決手段】  静電容量検知式タッチパネルを備えた電子機器において実行される認証プログラムと、視覚若しくは光学的な認識手段を介して所得可能な文字、数字、記号及び図形情報、若しくはこれらの組み合わせからなる照合情報を設けたデータキャリアを有し、タッチパネルによって検出したコード情報と前記照合情報との比較によって、両者が対応していると判定した場合に前記データキャリアを認証することを特徴とする。【選択図】図１
2016072401.tif 000002
【特許請求の範囲】
【請求項１】
静電容量検知式タッチパネルを備えた電子機器において、複数個の導電部を有したデータキャリアの認証を行う認証プログラムであって、
前記静電容量検知式タッチパネルによって検出した導電部の配置位置情報若しくは当該配置位置情報に基づいて生成したコード情報と、
視覚若しくは光学的な認識手段を介して所得可能な文字、数字、記号及び図形情報、若しくはこれらの組み合わせからなる照合情報を入力し、
前記コード情報と照合情報が対応している場合に前記データキャリアを認証することを特徴とするデータキャリア認証プログラム。
【請求項２】
前記コード情報と照合情報との対応を、当該認証プログラム内に予め備えたデータテーブル若しくは当該認証プログラムを設けた電子機器とは異なる他の装置から取得したデータテーブルに基づいて判定するものであることを特徴とする請求項１記載のデータキャリア認証プログラム。
【請求項３】
前記他の装置がインターネットを介して接続可能なサーバーであり、当該サーバー若しくは当該サーバーに接続した他のサーバーによって前記コード情報と照合情報との対応を判定するものであることを特徴とする請求項２記載のデータキャリア認証プログラム。
【請求項４】
当該データキャリア認証プログラムが、Webブラウザ上において実行されるプログラムであることを特徴とする請求項１乃至請求項３のいずれか一項記載のデータキャリア認証プログラム。
【請求項５】
静電容量検知式タッチパネルを備えた電子機器において実行される認証プログラムと、前記静電容量検知式タッチパネルによって検出可能な複数個の導電部を有したデータキャリアを有し、
前記データキャリアには、視覚若しくは光学的な認識手段を介して所得可能な文字、数字、記号及び図形情報、若しくはこれらの組み合わせからなる照合情報を設け、
前記認証プログラムは、
前記静電容量検知式タッチパネルによって検出した導電部の配置位置情報若しくは当該配置位置情報に基づいてコード情報を生成し、
前記照合情報が前記導電部の配置位置情報若しくは当該配置位置情報に基づいて生成したコード情報と対応している場合に、前記データキャリアを認証することを特徴とするデータキャリア認証システム。
【請求項６】
前記コード情報と照合情報との対応を、当該認証プログラム内に予め備えたデータテーブル若しくは当該認証プログラムを設けた電子機器とは異なる他の装置から取得したデータテーブルに基づいて判定するものであることを特徴とする請求項５記載のデータキャリア認証システム。
【請求項７】
前記他の装置がインターネットを介して接続可能なサーバーであり、当該サーバー若しくは当該サーバーに接続した他のサーバーによって前記コード情報と照合情報との対応を判定するものであることを特徴とする請求項６記載のデータキャリア認証システム。
【請求項８】
前記認証プログラムが、Webブラウザ上において実行されるものであるプログラムであることを特徴とする請求項５乃至請求項７のいずれか一項記載のデータキャリア認証システム。
【請求項９】
静電容量検知式タッチパネルを備えた電子機器において認証を行わせるデータキャリアであって、
静電容量検知式タッチパネルによって検出可能な複数個の導電部と、
視覚若しくは光学的な認識手段を介して所得可能な文字、数字、記号及び図形情報、若しくはこれらの組み合わせからなる照合情報を有したことを特徴とするデータキャリア。
【請求項１０】
静電容量検知式タッチパネルを備えた電子機器において認証を行わせるクレジットカードであって、
静電容量検知式タッチパネルによって検出可能な複数個の導電部と、
視覚若しくは光学的な認識手段を介して所得可能な文字、数字、記号及び図形情報、若しくはこれらの組み合わせからなる照合情報を有したことを特徴とするクレジットカード。
【発明の詳細な説明】
【技術分野】
【０００１】
本発明は、データキャリア認証システム、データキャリア認証方法、データキャリア及びクレジットカードに関する。
【背景技術】
【０００２】
従来、静電容量を利用した技術として特許文献１、２、３等に記載され技術が知られている。これらは複数の導電部をカード等の平面上に配置し、電子機器が有する静電容量式タッチパネルを利用して前記導電部の配置を認識し、導電部の配置に対応したコード情報を取得する技術に関するものである。
【先行技術文献】
【特許文献】
【０００３】
【特許文献１】特表２０１１−１３４２９８号公報
【特許文献２】特表２０１３−５３５０４６号公報
【特許文献３】特許第５５１７０２６号公報
【発明の概要】
【発明が解決しようとする課題】
【０００４】
上記のような静電容量を利用した検知システムは、タッチパネル上に接した導電部を検出するものであるので、導電部の配置を手指の置く位置によって再現することが可能である。導電部の検出精度、認識の確実性は、導電体の形成の仕方、静電容量パネルの性能、認識を行うプログラムのアルゴリズム、使用者による操作方法等によって変動するものである。さらに、配置の組み合わせが数十通りである等の少ない場合は別として、導電部の配置によって数千〜数十万通りの組み合わせを設けた場合に、読み取り不良や誤認識を伴う可能性が高くなる。そして、導電部の配置によって形成したコード情報の信頼性を担保するには、上記のような潜在的な誤認識の可能性の低下が不可欠である。【０００５】
また、各種の代金決済にクレジットカードを利用することが多い。クレジットカードが有する識別情報はカード表面に刻印されたカード番号であり、磁気ストライプや内蔵したＩＣチップにも記録されている。このようなクレジットカードが偽造品ではないこと若しくはインターネットショッピングやインターネットバンキングでクレジットカードを所持していることを確認する必要がある場合には、磁気ストライプ等に記録されているカード番号を取得する。しかしながら、磁気ストライプからカード番号を取得するには、専用のカードリーダーが必要である。【０００６】
本発明は当該事情に鑑み発明したものであって、タッチパネルを有する電子機器によって認識可能なコード情報を付与したカード等のユニークなデータキャリアを提供するとともに、当該データキャリアからカードリーダー等を用いることなくコード情報等を取得し、かつ取得した情報の信頼性を高める手段の提供を課題とするものである。
【課題を解決するための手段】
【０００７】
上記課題を解決するために本発明は以下の構成を有する。すなわち、
静電容量検知式タッチパネルを備えた電子機器において、複数個の導電部を有したデータキャリアの認証を行う認証プログラムであって、
前記静電容量検知式タッチパネルによって検出した導電部の配置位置情報若しくは当該配置位置情報に基づいて生成したコード情報と、
視覚若しくは光学的な認識手段を介して所得可能な文字、数字、記号及び図形情報、若しくはこれらの組み合わせからなる照合情報を入力し、
前記コード情報と照合情報が対応している場合に前記データキャリアを認証することを特徴とする。【０００８】
また、上記課題を解決するために本発明は以下の構成を有する。すなわち、データキャリア認証システムであって、
静電容量検知式タッチパネルを備えた電子機器において実行される認証プログラムと、前記静電容量検知式タッチパネルによって検出可能な複数個の導電部を有したデータキャリアを有し、
前記データキャリアには、視覚若しくは光学的な認識手段を介して所得可能な文字、数字、記号及び図形情報、若しくはこれらの組み合わせからなる照合情報を設け、
前記認証プログラムは、
前記静電容量検知式タッチパネルによって検出した導電部の配置位置情報若しくは当該配置位置情報に基づいてコード情報を生成し、
前記照合情報が前記導電部の配置位置情報若しくは当該配置位置情報に基づいて生成したコード情報と対応している場合に、前記データキャリアを認証することを特徴とする。【０００９】
また、上記課題を解決するために本発明は以下の構成を有する。すなわち、
静電容量検知式タッチパネルを備えた電子機器において認証を行わせるデータキャリアであって、
静電容量検知式タッチパネルによって検出可能な複数個の導電部と、
視覚若しくは光学的な認識手段を介して所得可能な文字、数字、記号及び図形情報、若しくはこれらの組み合わせからなる照合情報を有したことを特徴とする。【００１０】
また、上記課題を解決するために本発明は以下の構成を有する。すなわち、
静電容量検知式タッチパネルを備えた電子機器において認証を行わせるクレジットカードであって、
静電容量検知式タッチパネルによって検出可能な複数個の導電部と、
視覚若しくは光学的な認識手段を介して所得可能な文字、数字、記号及び図形情報、若しくはこれらの組み合わせからなる照合情報を有したことを特徴とする。
【発明の効果】
【００１１】
導電部の配置の組み合わせによって生成するコード情報の数は、静電容量検知式タッチパネルの面積や同時に認識することができる導電部の個数に制限がある等の理由により有限である。しかしながら、照合情報等には数量的な制限は実質的に無い。したがって、コード情報と照合情報の組み合わせ数は、実質的に無数と考えて良い。したがって、コード情報と照合情報を組み合わせることによって、ユニークな情報を搭載したデータキャリアを、数の制限なく形成することができるという効果を有している。
また、静電容量検知式タッチパネルを利用した導電部の検出が不十分等の理由により認識したコード情報に誤りが生じる可能性がある。しかしながら、本発明は、データキャリアに導電部によるコード情報と、これと異なる方式によって付与した照合情報を設けている。コード情報と照合情報は、互いの対応関係を判断することができるので、取得したコード情報が正しいか否か等の判断が可能になり、データキャリアの信頼性を最大限に向上させることができるという効果を有している。
【図面の簡単な説明】
【００１２】
【図１Ａ】カード型データキャリアの構造を示した概略図である。
【図１Ｂ】カード型データキャリアの外観図である。
【図２】データキャリアをタッチ式の静電容量パネルを有するスマートフォンに重ね合わせた状態を表した説明図である。
【図３】データキャリアに設定した静電容量パネルに対向する認識領域に関する説明図である。
【図４Ａ】認識領域中に設定した導電部の配置可能位置の一例である。
【図４Ｂ】導電部の配置可能位置の他の例である。
【図４Ｃ】導電部の配置可能位置のさらに他に関する説明図である。
【図５Ａ】認識領域中に設定した導電部の配置例である。
【図５Ｂ】導電部の他の配置例である。
【図５Ｃ】導電部のさらに他の配置例に関する説明図である。
【図６Ａ】照合情報の入力画面に関する説明図である。
【図６Ｂ】データキャリアを載置する際の画面に関する説明図である。
【図７Ａ】クレジットカードとして構成したデータキャリアの構造を示した概略図である。
【図７Ｂ】クレジットカードとして構成したデータキャリアの外観図である。
【図７Ｃ】クレジットカードとして構成したデータキャリアの使用状態を表した説明図である。
【図８】データテーブルの一例を表す対応表である。
【発明を実施するための形態】
【００１３】
以下、本発明の一実施の形態を図を用いて説明する。図１Ａは、カード型のデータキャリア１の構造を示した概略図である。当該データキャリア１は、一例として二枚の紙片２ａ、２ｂを重ね合わせて一枚のカードとして形成したものである。この二枚の紙片２ａ、２ｂの間には、金属箔、導電性インク等によって形成した複数の導電部３（３ａ、３ｂ、３ｃ、３ｄ、３ｅ）を設けている。なお、この導電部３の個数は、当然ながら５個に限るわけではなく、適用する電子機器の仕様に応じて１個から５個以上の複数個まで各種の態様がある。
導電部３を金属箔、導電性インク等によって形成する場合、用紙に対する印刷工程の中でこれらを形成することができるので、データキャリア１は非常に安価に形成することができる。なお、導電部３の形成方法が金属箔、導電性インクに限らないことはいうまでもない。
【００１４】
前記導電部３を形成した紙片２ｂの上に紙片２ａを重ねて密着させると、導電部３を所定位置に配置した図１Ｂに示すような一枚のカードが形成される。この例では、導電部３の配置は外観上隠蔽され、データキャリア１を破壊しなければ導電部３の配置を知ることはできないようになっている。
なお、データキャリア１の用途によっては、導電部３の配置が外観上隠蔽されていなくても許容される場合もある。この場合には、台紙としての一枚の紙片、樹脂シート片の表面若しくは裏面に導電部３を直接形成すればよく、必要に応じて導電部３の摩耗防止のため薄い保護コーティング層が設けられる。
【００１５】
また、データキャリア１の表面若しくは裏面には、視覚的に認識できる文字、数字、その他の記号等を用いた表示情報４が設けられている。この表示情報４は、一例として電子機器が有する入力用キーボード（ソフトウエアキーボードを含む）を介して入力可能な情報により構成される。これは、データキャリア１を電子機器によって認識する際に使用する照合情報となるものであり、データキャリア１をクレジットカードとして使用する場合には図６に示すカード番号２３を表示情報４として使用してもよい。
なお、照合情報は、必ずしもキーボードを介して入力可能な情報である必要はなく、例えばデータキャリア１の一部若しくは全部をカメラ機能で撮影し、当該撮影した映像を照合情報として使用してもよい。
一例として、使用者自身の顔写真を照合情報としてもよい。この場合、使用者とデータキャリア１の対応付けができるので、データキャリア１を個人認証の手段として用いることができ、物品やサービスの購入代金を決済する際に使用するなどの方法が利用可能となる。以上がカード型に形成したデータキャリア１の概要である。
【００１６】
図２は、前記データキャリア１を電子機器の一例としてタッチ式の静電容量パネル５を有するスマートフォン６に重ね合わせた状態を表している。スマートフォン６では、後述する認識プログラムを用いてデータキャリア１が有する導電部３の配置位置を取得し、これをデータキャリア１が有するコード情報として記憶する。この配置位置は、静電容量パネル上に仮想的に区画した座標によって表すことができるエリアを単位としたものでもよいし、静電容量パネル上の座標位置に関わりなく取得した全ての導電部３の位置関係に基づいて生成するものであってもよい。なお、配置位置をコード情報に変換する必要が無い場合には、配置位置情報そのものを利用すればよい。
導電部３は、図３に示すようにデータキャリア１の静電容量パネル５の表面に対向可能な領域（認識領域）７の中に配置されるものである。配置には種々の方法があるが、一例として図４に示すように縦と横の間隔を等しく設定したマトリクス状の配置可能位置に１または２以上の導電部３を設けている。
【００１７】
図４に示す各説明図は、認識領域７中に設ける導電部３の配置可能位置を番号で表している。
図４Ａは、直径９．５ｍｍの導電部３を１１ｍｍ間隔で４行×５列の２０カ所に配置する場合を想定したものである。この配置を利用して、２０カ所の配置可能位置から５カ所を選択して導電部３を配置する場合、その配置の組み合わせは数２０Ｃ５＝１５，５０４通りである。
図４Ｂは、直径７．５ｍｍの導電部３を９ｍｍ間隔で５行×６列の３０カ所に配置する場合を想定したものである。この配置を利用して、３０カ所の配置可能位置から５カ所を選択して導電部３を配置する場合、その配置の組み合わせは数３０Ｃ５＝１４２，５０６通りである。
図４Ｃは、直径６ｍｍの導電部３を８ｍｍ間隔で５行×６列の３０カ所に配置する場合を想定したものである。この配置を利用して、３０カ所の配置可能位置から５カ所を選択して導電部３を配置する場合、その配置の組み合わせは数３５Ｃ５＝３２４，６３２通りである。
【００１８】
また、上記の例は配置可能位置から５個を選択した組み合わせ数を示しているが、例えば１個、２個あるいは３個以上といった任意の個数を設定することができる。配置可能位置のフォーマットが同一であっても、選択する個数を異ならせることで異なるユニークな配置位置情報を形成することができる。
また、導電部３の配置可能位置は等間隔のマトリクス状である必要はない。さらに、隣り合う導電部が重なり合わなければ、配列ピッチの間隔を超える直径の導電部を設けても良く、この場合認識領域７中に大きさの異なる導電部を配置することも許容される。
また、認識アプリケーションによる照合が可能であれば、格子状の配列ではなく、一見規則性が無いように見えるような配置であって、導電部の配置が特定できるものであれば構わない。
【００１９】
図５は、前述した各配置可能位置に導電部３を配置した例であり、静電容量パネル５側から見た場合の配置を表している。なお、実際には隠蔽されていて見えないようになっている。
図５（ａ）は２０カ所の配置可能位置から任意に選択した４カ所（１番，６番，９番，１８番）に導電部３を設けた例を示している。これを符号化した文字列にすると(10000 01001 00000 00010)のように表すことができる。２０箇所から４箇所を選択するユニークな組み合わせは４，８４５通りであるから、前述のような文字列として符号化可能な組み合わせが４，８４５通りできることになる。
【００２０】
図５Ｂは３０カ所の配置可能位置から任意に選択した５カ所（２番，１２番，１４番，１７番，２７番）に導電部３を設けた例を示している。これを符号化した文字列にすると(010000 000000 101001 000100)のように表すことができる。３０箇所から５箇所を選択するユニークな組み合わせは前述したように１４２，５０６通りであるから、上記のような文字列として符号化可能な組み合わせが１４２，５０６通りできることになる。
また、図５Ｃは３５カ所の配置可能位置から任意に選択した５カ所（４番，８番，２０番，２４番，２８番）に導電部３を設けた例を示している。これを符号化した文字列にすると(0000100 0100000 0000001 0001000 1000000)のように表すことができる。３５箇所から５箇所を選択するユニークな組み合わせは前述したように３２４，６３２通りであるから、上記のような文字列として符号化可能な組み合わせが３２４，６３２通りできることになる。
【００２１】
前述したように、導電部３の配置によって数十万通りのユニークなコードを生成することができるが、この数はカードの大きさや静電容量パネルの性能等に依存するものであるから、その組み合わせ数は有限である。次に、上記導電部の配置によって生成可能な固有なデータキャリアの数をほぼ無限大に拡張する手段を説明する。
この手段は、データキャリア上において視覚的に取得若しくは前記導電部の検出方法以外の方法によって取得できる別個の情報（照合情報）を搭載し、当該照合情報と導電部の検出結果とを照合することによって実現することができるものである。また、これにはいくつかの方法があるので、以下詳細に説明する。
【００２２】
第１の方法
第１の方法は、データキャリア上に文字、数字、記号等のキーボードによって入力可能な文字列を掲載し、当該文字列を導電部３の配置によって形成される組み合わせに対応させるものである。この対応方法の単純な例は、図８に示すような対応表を形成して対応させる方法である。本明細書では、これをデータテーブルという。
【００２３】
図８に示す対応表は、一例として図４Ａに示した導電部の配置を利用した例を示している。この配置の場合、配置による組み合わせコードの総組み合わせ数は前述した通り１５，５０４通りである。この対応表の左列は、コードの組み合わせに対応した単純な整理番号であり、この組み合わせが１番から１５，５０４番まで存在することを表している。
左から２列目の「配列による組み合わせコード」は、導電部の配置位置と有無の関係を２進数のような１／０の並びで表したものである。この例の場合、先頭が図４Ａに示した０番、最後尾が図４Ａに示した１９番の位置に相当している。
【００２４】
左から３列目は、１番から１５５０４番までの「配列による組み合わせコード」に対応する５桁の文字（数字）列である。５桁の各桁を０から９の数字を用いて表すと、１０の５乗＝１００，０００通りの組み合わせを作ることが出来、一つの「配列による組み合わせコード」に対して一つの文字（数字）列を対応する照合情報として設けることができる。
すなわち、１番の（00000 00000 00000 11111）は、照合情報［00001］と一対一の関係で対応しており、配列による組み合わせコードが（00000 00000 00000 11111）の場合には一義的に照合情報［00001］が定まり、照合情報が［00001］の場合には一義的に配列による組み合わせコード（00000 00000 00000 11111）が定まるという関係になっている。この対応関係を記憶したデータテーブルは、認識プログラムとして電子機器にインストールされるアプリケーションプログラムが保持するか、インターネット上のサーバーに記憶させて使用する。
【００２５】
具体的には、静電容量パネルを介してデータキャリアが有する導電部の配置位置情報の取得若しくは配置位置情報に基づくコード情報を取得した後、このデータキャリアに表示されている照合情報を例えばキーボード（ソフトウエアキーボードを含む）によって入力させる。上記のデータテーブルを利用して、静電容量パネルを介して取得した情報と照合情報を対比することで、配置位置情報等が正しいものであるか等を判定することができる。静電容量パネルを介して読み取った情報と入力した情報が対応していれば、読み取った情報は正しいものとなり、正規のデータキャリアから取得された情報であるということの確実性が最大限に保証される。
一方、静電容量パネルを介して読み取った情報と入力した情報がデータテーブル上の比較において対応していない場合には、読み取った情報が正しくないということになる。この場合に想定されるのは、データキャリアが真性品でない場合、破損している場合、不十分な操作方法により性格に読み取られなかったという場合である。
上記のように、静電容量パネルを介して読み取った情報が正しい場合にのみ、データキャリアを正規なものとして認証し、その後の処理を続行させることがでるようになっている。
【００２６】
また、図８に示す対応表の左から第４列、第５列は、１番から１５５０４番までの「配列による組み合わせコード」に対応して、前記第３列目に示したのとは異なる５桁の文字（数字）列を対応させている。このように対応させる５桁の文字（数字）列は、規則的である必要はなく乱数発生処理によって付与するようにしても差し支えない。
このように、１番から１５５０４番までの「配列による組み合わせコード」と、例えば５桁の数字で構成される１０５通りの中の一つの数字との合致によって、一つの認証結果を得るものである。このように、１５５０４種類のデータキャリアを用いる場合には、１５５０４×１０５種類のデータキャリアが存在するのと同様の使い方が可能になる。また、「配列による組み合わせコード」に対応させる照合情報は、数字に限らず文字や記号を用いることが可能であり、またその桁数も自由に設定することができる。したがって、「配列による組み合わせコード」の重複した使用を認める場合であっても、照合情報の個数は実質的に無限であるから、無限に近い種類のデータキャリアが存在するのと同様である。このように、照合情報との対応を行わせることにより、固有の識別性（ユニーク）を有する無数のデータキャリアを生成することができるようになる。
【００２７】
第２の方法
第２の方法は、データテーブルを用いずに「配列による組み合わせコード」と照合情報を対応させる方法である。
前述と同様に図４Ａに示した導電部の配置を利用した１番から１５５０４番までの「配列による組み合わせコード」を有するデータキャリアを例に説明する。この例においても、静電容量パネルを介してデータキャリアが有する導電部の配置を読み取った後、このデータキャリアに表示されている照合情報をキーボード（ソフトウエアキーボードを含む）によって入力させる。これにより、静電容量パネルを介して取得した情報が正しく取得されたものであるか否かの判定を行うことができる。
この判定には、各種の暗号化アルゴリズム、若しくは暗号化アルゴリズムに近似した処理を行う変換プログラムを使用する。この変換プログラム、静電容量パネルを介して取得した情報が（00000 00000 00000 11111）である場合に、当該情報を変換処理すると例えばデータキャリアに表示されている照合情報［00001］が出力されるような変換プログラムである。この変換プログラムはブラックボックス化されており、その処理アルゴリズは完全に秘密である。
【００２８】
上記の「配列による組み合わせコード」から照合情報を生成する変換プログラムは、内部の変数を変更することにより、同一の「配列による組み合わせコード」から異なる照合情報を生成することができる。すなわち、上記の例では、１番から１５５０４番までの「配列による組み合わせコード」に対して一対一に対応するユニークな照合情報のセットを、変換プログラム内部の変数の設定によって複数組生成することができるわけである。したがって、変換プログラム内部の変数を設定するだけで、照合情報との組み合わせが実質的に制限が無いほど生成することができるので、他のデータキャリアとの識別が可能な固有のデータキャリアが無数に存在しているのと同様の使い方が可能となっている。
これには、例えばハッシュ関数を利用してもよい。ハッシュ関数は、一意の情報を入力した場合にはこれに対応する特定の情報が生成される関数であり、生成された特定の情報からは元の情報を得ることができない情報を生成するものである。
【００２９】
「配列による組み合わせコード」から照合情報を生成する変換プログラムの簡単な事例を説明する。例えば、「配列による組み合わせコード」が（10000 00001 00000 01110）である場合、1あるいは0からなる符号のブロックが４個ある。この第１ブロックと第２ブロック、第３ブロックと第４ブロックをそれぞれ入れ替えると（00001 10000 01110 00000）のようになる。これを連続する２進数の数値として１０進数に変換すると49600になる。例えばこのようなアルゴリズムで５桁〜６桁の数値を取得でき、これを照合情報とする。この照合情報はデータキャリアに印刷、刻印、他の手段によって視覚的に認識できる形で設けられる。
【００３０】
実際に使用する場合には、専用のアプリケーションプログラムを起動させた後、図６Ａに示すデータキャリアに印刷されている照合情報の入力を求めるように設定する。図６Ａにおいて、１０はアプリケーション起動後に表示されるメッセージであり、必要に応じて使い方や注意事項、操作指示などを表示する。１１は照合情報として入力された数値の表示部であり、１２は照合情報を入力するためのソフトウエアキーボードである。ソフトウエアキーボード１２を用いてデバイスキャリア１に表示されている情報を入力し、確認ボタン（図示せず）を操作して照合情報の入力を完了する。
この処理では、例えば上記の例で生成した49600を照合情報として入力すると、前述した処理とは逆の順序で数値を２進数化して（00001 10000 01110 00000）を得る。そして、この１番目と２番目、３番目と４番目のブロックをそれぞれ入れ替えて（10000 0000100000 01110）を取得する。すなわち、照合情報から「配列による組み合わせコード」が一義的に定まるわけである。
【００３１】
上記照合情報を入力すると、図６Ｂに示すデータキャリアとして形成したカード１の接触位置を表すガイド１３を表示する。ガイド１３にそってカード１を静電容量パネル５上に載置すると、導電部を検出して配列による組み合わせコードを取得する。そして、前記照合情報から生成した情報と静電容量パネルにデータキャリアを近接させて取得した「配列による組み合わせコード」が一致すれば、読み取りが正常に行われたものとして、商品購入に伴う代金決済や、コンテンツの視聴、購入といった処理の続行を許容する。また、照合結果が不一致であれば、入力が不正であるかデータキャリアが破損しているか等の何らかの不具合があるということで、その後の処理の続行を不可能とする。
なお、この照合処理では、検出した導電部の配列からコードを取得することで、前述した手順により照合情報と比較可能な数値を所得し、これと前記ソフトウエアキーボード１２を用いて入力された照合情報と比較することで両者を照合してもよく、どちらの方法を採用しても良い。
【００３２】
データキャリアの使用例
データキャリアは、前述したように代金決済に用いたり、個人認証に用いたり、いろいろな用法が考えられるものである。一例として、クレジットカードとして構成することもできる。
図７Ａは、データキャリアとしての機能を搭載したクレジットカード２０の説明図であり、説明のために表層部を構成する第１層２０ａと、裏側層を構成する第２層２０ｂとに分解した状態を示している。図７Ｂは上記構成のクレジットカード２０の外観斜視図を表している。図７Ｃは上記構成のクレジットカード２０を静電容量パネル上に配置した状態を表している。
【００３３】
当該クレジットカード２０は、ＰＥＴ素材を用いた樹脂製の矩形カードであり、現在流通している一般的なものと同様に磁気ストライプ２１、ＩＣ２２を内蔵している。ＩＣ２２は任意であり、求められる安全性に応じて必要がなければ無くてもよい。表面にはカード番号２３、氏名２４、金属箔によって形成したホログラム２５、その他の情報が印刷若しくは刻印によって表示されている。これらは、一般的なクレジットカードと同様の構成である。また、一般的なクレジットカードでは、カード番号２３とは別に数桁の番号であるセキュリティーコードが表面若しくは裏面に印刷されている。本実施例に係るクレジットカード２０にもセキュリティーコード２６が印刷されている。
【００３４】
本実施例に係るクレジットカード２０の場合、内部若しくは裏面に静電容量パネルによって認識可能な大きさを有する複数の導電部２７（２７ａ、２７ｂ、２７ｃ、２７ｄ、２７ｅ）が設けられている。当該５つの導電部２７は、前述した導電部３と同様に静電容量式のタッチパネルによって配置を認識させることができる導電部であり、導電性の金属箔によって形成されている。この導電部２７は、８ｍｍ間隔で設定された配置可能位置から選択された所定の位置に配置されている。この配置可能位置は、一例として前記セキュリティーコード２６と関連付けられている。関連付けの方法は前述したデータテーブル照合方式若しくは関数方式若しくは他の方法であり、セキュリティーコード２６によって導電部２７の配置によって構成されるコードが一義的に定まるものである。
【００３５】
なお、一般的なクレジットカードの特徴にホログラム２５がある。ホログラムは金属製の薄膜であるから、金属箔によって形成した導電部２７と同様に静電容量式のタッチパネルによって認識若しくは導電部２７の認識に影響を及ぼすことが考えられる。なお、これはクレジットカードの肉厚によって変動するものであり、クレジットカードの肉厚が大きいと静電容量式のタッチパネルとの距離が大きくなり導電部２７の検出に及ぼす影響は小さくなる。一方、クレジットカードの肉厚が小さいと静電容量式のタッチパネルとの間で容量結合するので導電部２７の検出を阻害する場合がある。このため、本実施例ではホログラム２５を配置した領域と導電部２７の配置位置が重ならないように配置可能位置を設定している。このため、この例では配置可能位置を設定する領域の形状は矩形を成していない。
【００３６】
図７に示した例の場合、配置可能位置は完全な矩形ではなく凹型に形成される。このことは、行列状の配置可能位置を有しているものの、全体領域の外形は必ずしも矩形である必要がないことを示している。これは、ホログラム２５や他の障害の有無にかかわらず、意図的な形状にしてもよいということである。
したがって、配置位置を(10000 01001 00000 00010)のように２進数的に表したとしても、配置される導電部の実際の位置は全ての場合において同一であるという絶対的なものではない。配置可能位置の全体領域としての外形形状は、座標の設定の仕方によって変動させることができるものである。
【００３７】
データキャリアとして形成した上記構成のクレジットカードは、図７Ｃのようにスマートフォン６の静電容量パネル５の表面に対向させることによって導電部２７を検出させこれをコード情報として取得させることができる。
そして、この導電部２７の検出前若しくは検出後に前記セキュリティーコード２６として印刷されている数値を照合情報として入力することによって、静電容量パネル５によって読み取ったコード（導電部２７の配置）と照合情報の照合を行い、クレジットカードが真性品であるか偽造品であるか、またはコードが正確に読み取られたか否かの確認をすることができる。
【００３８】
上記構造は、現在市場に流通している各社のクレジットカードに適用してもよいし、プリペイドカードのような低額決済用の簡易なクレジットカードとして安価に製造し提供してもよい。このデータキャリアの利点は、スマートフォンを利用して商品やコンテンツを購入する際に、購入に使用するデータキャリア自体を使用しなければならないということである。例えば、スキミング等でカード番号を盗まれる場合があるが、決済時に本物のクレジットカード（データキャリア）が存在しなければ決済が出来ないようなシステムを構築すると、カード番号だけを知っていても決済には使用できない。また、このようなシステムを構築する場合であっても、データキャリアの存在を確認するカードリーダー等の別途のハードウエア手段が不要である。本実施の形態に係るデータキャリアを用いた決済システムは、データキャリアと当該データキャリアの認証、認識プログラムを提供することによって、信頼性のある決済システム等を安価に構築できるという効果を有している。
【００３９】
以上、本発明に係る方法等として、照合情報を視覚的に認識してキーボード等を利用して入力する例を説明した。しかし、照合情報はこの例に限るわけではなく、バーコードや矩形の模様コードをカメラ機能で認識するような情報であってもよい。また、前述したように、使用者の顔写真であったり、動画であったり、音声である等比較することができる情報であれば良い。また、専用のリーダーは必要であるが、クレジットカードが有しているような、磁気ストライプに記録した磁気情報を照合情報にすることは差し支えない。
【００４０】
また、以上説明したデータキャリア認証システム、データキャリア認証方法、データキャリア及びクレジットカードは、何れもデータキャリアを認識するための認識プログラムを電子機器に搭載して実行する場合について説明したものである。
しかし、認証プログラムはインターネットを介して接続したサーバー上で実行させるものであってもよい。この場合、電子機器はデータキャリアが搭載した導電部の座標を取得してサーバーに送信し、送信した座標の認証結果に応じてその後のイベント処理を行うことになる。サーバーは、電子機器から取得した座標に基づいてコード情報を生成し、これをサーバーが有するデータテーブルと比較することでデータキャリアの認証を行う。
【００４１】
上記の場合、電子機器上で実行させるプログラムには、一例としてWebブラウザ上で閲覧可なhtmlファイルに搭載するScript言語で記述したプログラムを利用する。Script言語は、ソースコードが電子機器の利用者に対して公開されるものであるため、認証処理の全てをScript言語で行わせることは安全上の問題から行うことはできない。このため、データキャリアの座標の取得のみをhtmlファイルに記述したScript言語によるプログラムによって行い、座標のコード変換や認証処理を利用者が知ることの出来ないサーバー上で行わせる。
【００４２】
上記のようなWebブラウザを利用した認証システムは、利用者に対して専用のアプリケーションソフトをダウンロードさせる必要がない。すなわち、この認証システムを有するインターネット上のサイトを閲覧するだけで、その閲覧画面をデータキャリアの認証画面として使用することができるわけである。アプリケーションソフトをダウンロードする場合、利用者には少なからずの心理的な抵抗が伴うものである。これに対してインターネット上で提供されるhtmlファイルを閲覧する場合には、そのような心理的な抵抗はかなり少ない。本発明をWebブラウザ利用した態様で提供することは、利用者の利便性において重要な手段ということが言える。
【００４３】
また、サーバー上で実行される認証プログラムを、コード情報に基づいて認証情報を生成するハッシュ関数等を利用したもので構成してもよい。この場合も上記と同様にWebブラウザを利用したScript言語によるプログラムによってデータキャリアが搭載した導電部の座標を取得してサーバーに送信する。また、印刷された番号等のデータキャリアに掲載されている認証情報を利用者によって入力させてサーバーに送信する。
サーバーに搭載した認証プログラムは、タッチパネルが取得した座標からコード情報を生成し、この座標若しくはコード情報に基づいて認証情報を生成する。そして、サーバーで生成した座標に基づく認証情報と利用者が入力した認証情報を対比し、両者が一致した場合にデータキャリアが正常に認識されたと判断することができる。
【００４４】
以上、本発明に関する様々な態様を説明したが、特許請求の範囲に記載した発明の範囲を逸脱しない範囲において種々組み合わせて実施することが可能であり、このような態様も本発明の技術的範囲に属するものである。
【産業上の利用可能性】
【００４５】
本発明は、データキャリアをコレクション性のあるカードとして形成したり、決済用のプリペイドカードにしたり、無料配布する商品広告用の印刷物として用いたり、ゲーム用のカードを構成するなど様々な用途に利用可能である。
【符号の説明】
【００４６】
１  カード型のデータキャリア
３  導電部
４  表示情報（照合情報）
５  静電容量パネル
６  スマートフォン
７  認識領域
【図１Ａ】
2016072401.tif 000003
【図１Ｂ】
2016072401.tif 000004
【図２】
2016072401.tif 000005
【図３】
2016072401.tif 000006
【図４Ａ】
2016072401.tif 000007
【図４Ｂ】
2016072401.tif 000008
【図４Ｃ】
2016072401.tif 000009
【図５Ａ】
2016072401.tif 000010
【図５Ｂ】
2016072401.tif 000011
【図５Ｃ】
2016072401.tif 000012
【図６Ａ】
2016072401.tif 000013
【図６Ｂ】
2016072401.tif 000014
【図７Ａ】
2016072401.tif 000015
【図７Ｂ】
2016072401.tif 000016
【図７Ｃ】
2016072401.tif 000017
【図８】
2016072401.tif 000018
【国際調査報告】
2016072401.tif 000019
2016072401.tif 000020